(57)【要約】  本発明は、プラグ・コネクタ・ユニットを作製するためのプラグ・コネクタ・モジュールのモジュラー・システム、および複数のプラグ・コネクタ・モジュール（１８）を中に受け入れるための少なくとも１つのハウジング・フレーム（２１１）に関する。各ハウジング・フレーム（２１１）は、ハウジング・フレームのフレーム幅を画定する２つの平行の広い側壁（２１４）と、それらに対して垂直で、ハウジング・フレームのフレーム高（Ｈ）を画定する２つの平行の狭い側壁（２１６）と、を有する。本発明によると、ｉ）フレーム幅（Ｂ）はフレーム高（Ｈ）の整数倍で、任意で接合部の遊びを加え、ｉｉ）広い側壁（２１４）および狭い側壁（２１６）は、形状嵌合接続のための接続要素（２２０Ａ、２２０Ｂ）を有し、各場合において広い側壁（２１４）の接続要素（２２０Ａ、２２０Ｂ）は、狭い側壁（１６、２１６）の接続要素（２２０Ａ、２２０Ｂ）に対応し、ｉｉｉ）各広い側壁（２１６）において、複数の接続要素（２２０Ａ、２２０Ｂ）は、任意で接合部の遊びを加えたフレーム高（Ｈ）に相当するグリッド距離（Ｒ）で、フレーム幅（Ｂ）に沿って配置される。それによって複数のハウジング・フレーム（２１１）は、それらの接続要素（２２０Ａ、２２０Ｂ）に基づいてプラグ・コネクタ・ユニット（２１０）を形成するよう、モジュラー式に互いに接続することができる。
2020516030.tif 000002
【特許請求の範囲】
【請求項１】
プラグ・コネクタ・ユニット、特に矩形のプラグ・コネクタ（１０）を作製するための、プラグ・コネクタ・モジュールのモジュラー・システムであって、
複数のプラグ・コネクタ・モジュール（１８）を内部で受け入れるための複数の同一の受け入れ手段（３０ａ、３０ｄ、２３０ａ、２３０ｄ）を有する、少なくとも１つの第１のハウジング・フレーム（１１、２１１）を含み、該ハウジング・フレームは、該ハウジング・フレームのフレーム幅（Ｂ１、Ｂ）を画定する２つの平行の広い側壁（１４、２１４）、およびそれらに垂直で前記ハウジング・フレームのフレーム高（Ｈ）を画定する２つの平行の狭い側壁（１６、２１６）を有し、前記ハウジング・フレームは、
−  前記フレーム幅（Ｂ１、Ｂ）は、前記フレーム高（Ｈ）の整数倍で、好ましくは接合部の遊びを加え、
−  前記広い側壁（１４、２１４）および前記狭い側壁（１６、２１６）は、特にポジティブ・ロック接続のための接続要素（２０、２２０Ａ、２２０Ｂ）を有し、広い側壁（１４、２１４）のそれぞれの接続要素（２０、２２０Ａ、２２０Ｂ）は、狭い側壁（１６、２１６）の接続要素（２０、２２０Ａ、２２０Ｂ）に対応し、
−  複数の接続要素（２０、２２０Ａ、２２０Ｂ）は、各広い側壁（１６、２１６）で、好ましくは接合部の遊びを加えて、前記フレーム高（Ｈ）に対応するグリッド距離（Ｒ）で前記フレーム幅（Ｂ１、Ｂ）に沿って配置され、それによって複数のハウジング・フレーム（１１、１２、２１１）は、それらの接続要素（２０、２２０Ａ、２２０Ｂ）によって共にモジュール式に接続され、プラグ・コネクタ・ユニット（１０、２１０）を形成し得る、モジュラー・システム。
【請求項２】
全ての接続要素（２０、２２０Ａ、２２０Ｂ）は、ポジティブ・ロック接続のために前記広い側壁および狭い側壁（１４、１６）それぞれに外側に設けられ、ならびに／または全ての接続要素（２０、２２０Ａ、２２０Ｂ）は同一もしくは相補的な構成である、請求項１に記載のモジュラー・システム。
【請求項３】
前記接続要素（２０、２２０Ａ、２２０Ｂ）の少なくとも一部は、溝形接続のために、前記ハウジング・フレーム（１１、１２、２１０）の深さ方向に延びる溝の形態である、請求項２に記載のモジュラー・システム。
【請求項４】
前記ハウジング・フレームの前記接続要素（２０、２２０Ａ、２２０Ｂ）と協働する別個の接続要素（２２、２２２）が、特に溝形接続のための別個の接続舌部の形態で設けられ、前記接続要素（２０、２２、２２０Ａ、２２０Ｂ、２２２）は好ましくは蟻継ぎ接続の断面構成である、請求項１、２、または３、特に請求項３に記載のモジュラー・システム。
【請求項５】
前記別個の接続要素（２２２）は、少なくとも前記ハウジング・フレームの接続要素（２２０Ａ、２２０Ｂ）と堅固にロックする関係で協働し、好ましくは、前記ハウジング・フレーム（２２１）との掛止係合のための鏡像対称構成の２つの掛止舌部（２２５）、および／または、好ましくは２つのねじ穴（２２８）、好ましくはねじの皿穴（２２９）を有する、請求項４に記載のモジュラー・システム。
【請求項６】
各ハウジング・フレーム（２１１）は複数の部品構成で、特に３つの主部分で構成され、好ましくは複数のプラグ・コネクタ・モジュール（１８）を受け入れられるフレーム形状である前部（２１１Ａ）と、共に接続されかつ前記前部に接続できる２つの協働するシェル状の後部（２１１Ｂ、２１１Ｃ）とから構成される、請求項１から５のいずれか一項に記載のモジュラー・システム。
【請求項７】
プラグ・コネクタ・モジュール（１８）の受け入れ手段（２３０ａ、２３０ｂ、２３０ｃ、２３０ｄ）を有する保持フレームが、前記ハウジング・フレーム（２１１）に配置され、または、プラグ・コネクタ・モジュール（１８）の相手手段（１９Ａ、１９Ｂ）と掛止目的で協働する、それぞれ対向して配設される第１および第２のポジティブ・ロック凹部（３１、３２）が、前記広い側壁（１６）の両方の内側の各受け入れ手段（３０ａ、３０ｂ、３０ｃ、３０ｄ）に設けられ、それによって前記ハウジング・フレーム（１１、１２）に拘束され、かつ向きを決められる、請求項１から６のいずれか一項に記載のモジュラー・システム。
【請求項８】
前記ハウジング・フレームの後側に、複数の貫通開口部、特に前記後部（２１１Ｂ、２１１Ｃ）によって形成されるケーブル貫通開口部が設けられ、前記ハウジング・フレームにおいて前記深さ（Ｔ）方向で、前記ケーブル貫通開口部と前記受け入れ手段（３０ａ、３０ｂ、３０ｃ、３０ｄ）に、弾性歪み解放デバイス（２７０Ａ、２７０Ｂ）が設けられる、請求項１から７のいずれか一項に記載のモジュラー・システム。
【請求項９】
ハウジング・フレーム（１１、１２、２１１）から構成される２つのプラグ・コネクタ・ユニット（１０、２１１）は、前記ハウジング・フレームを囲む別のハウジングがない場合に、前記プラグ・コネクタ・モジュール（１８）の差し込み接続のために協働する、請求項１から８のいずれか一項に記載のモジュラー・システム。
【請求項１０】
少なくともいくつかのハウジング・フレーム（１１、１２）は、好ましくは射出成形処理を使用してプラスチックで作られ、および／または、圧力ダイカスト処理を使用して特にアルミニウムまたは亜鉛の金属で作られる、請求項１から９のいずれか一項に記載のモジュラー・システム。
【請求項１１】
別個の取り付け部品、特に取り付けフランジ（１３）、アングル部材、および／または取り付けプレートが設けられ、それらは、前記プラグ・コネクタ・ユニット（１０）を、機械部品、スイッチ・キャビネットなどのようなそれぞれの接続箇所に固定するために、特に前記狭い側壁（１６）の接続要素（２０）と協働する、請求項１から１０のいずれか一項に記載のモジュラー・システム。
【請求項１２】
前記ハウジング・フレーム（１１、１２）に、特に前記側壁の前記接続要素（２０）および／または取り付け部品（１３）上に接続された２つのプラグ・コネクタ・ユニットを固定するための固定可能なロック部が設けられる、請求項１から１１のいずれか一項、特に請求項１１に記載のモジュラー・システム。
【請求項１３】
各第１のハウジング・フレーム（１１、２１１）は、プラグ・コネクタ・モジュール（１８）を固定するために、２ｎ個の偶数の同一の受け入れ手段（３０ａ、３０ｂ、３０ｃ、３０ｄ、２３０ａ、２３０ｂ、２３０ｃ、２３０ｄ）、特に４、６、または８個の受け入れ手段（３０ａ、３０ｂ、３０ｃ、３０ｄ、２３０ａ、２３０ｂ、２３０ｃ、２３０ｄ）を有する、請求項１から１２のいずれか一項に記載のモジュラー・システム。
【請求項１４】
複数のプラグ・コネクタ・モジュール（１８）を前記ハウジング・フレーム（１２）の内部に固定するために、少なくとも２つの同一の受け入れ手段（３０ａ、３０ｂ）を有する少なくとも１つの第２のハウジング・フレーム（１２）が設けられ、前記ハウジング・フレームは、前記ハウジング・フレームの幅を画定する２つの平行の側壁（１４）、およびそれらに垂直で、前記ハウジング・フレームのフレーム高を画定する２つの平行の側壁（１６）を有し、
−  前記フレーム幅（Ｂ２）は前記フレーム高（Ｈ）と等しく、特に前記第１のハウジング・フレーム（１１）の前記フレーム高（Ｈ）と等しく、
−  前記側壁（１４、１６）は、特にポジティブ・ロック接続のための接続要素（２０）を有し、側壁（１４、１６）の接続要素（２０）は、プラグ・コネクタ・ユニット（１０）を形成するために、複数の第２のハウジング・フレーム（１２）がそれらの接続要素によって互いに、および／または第１のハウジング・フレーム（１１）にモジュール式に接続できるよう、隣接する前記側壁（１４、１６）の接続要素にそれぞれ対応する、請求項１から１３のいずれか一項に記載のモジュラー・システム。
【請求項１５】
請求項１から１４のいずれか一項に記載のモジュラー・システムのための、ハウジング・フレーム（１１、１２）であって、前記ハウジング・フレームの内部におけるそれぞれのプラグ・コネクタ・モジュール（１８）のための、複数の同一の受け入れ手段（３０ａ、３０ｂ、３０ｃ、３０ｄ）を備え、前記ハウジング・フレームは、前記ハウジング・フレームの幅を画定する２つの平行の側壁（１４）、およびそれらに垂直で、前記ハウジング・フレームの高さを画定する２つの平行の側壁（１６）を有し、
−  前記フレーム幅（Ｂ１、Ｂ２）は、前記フレーム高（Ｈ）の実質的にＮ倍で、ここでＮは自然数であり、
−  前記側壁（１４、１６）は、特にポジティブ・ロック接続のための接続要素（２０）を有し、側壁のそれぞれの接続要素（２０）は、それらに対して垂直な側壁の接続要素に対応し、
−  前記接続要素（２０）は、複数のハウジング・フレーム（１１、１２）が、プラグ・コネクタ・ユニット（１０）を形成するように、それらの接続要素（２０）によって共にモジュラー式に接続され得るよう、グリッド距離（Ｒ）に従って互いに対して配置される、ハウジング・フレーム（１１、１２）。
【請求項１６】
請求項２から１０のいずれか一項に記載の特徴部を備える、請求項１５に記載のハウジング・フレーム（１１、１２）。
【請求項１７】
ラインのための複数のプラグ・コネクタ・モジュール（１８）を含むプラグ・コネクタ・ユニット（１０、２１０）であって、請求項１５に記載の少なくとも２つのハウジング・フレーム（１１、１２、２１１）、または請求項１および／または１４に記載の特徴部を有する少なくとも２つのハウジング・フレームを備え、前記プラグ・コネクタ・モジュール（１８）は、前記ハウジング・フレーム（１１、１２、２１１）のうちの１つにそれぞれ受け入れられ、前記ハウジング・フレーム（１１、１２）は、それらの接続要素（２０、２２０Ａ、２２０Ｂ）によって互いに固定され、前記プラグ・コネクタ・ユニット（２１０）を提供するよう接続される、プラグ・コネクタ・ユニット（１０、２１０）。
【請求項１８】
ラインの、特に電気ラインの矩形のプラグ・コネクタ（１０）の製造のための、請求項１５または１６に記載のハウジング・フレーム（１１、１２、２１１）の使用。
【請求項１９】
請求項１から１３のいずれか一項に記載のモジュラー・システムを備える２つのハウジング・フレーム（２１１）を接続するための、接続要素（２２２）であって、蟻継ぎ接続のための断面で、主面に対して鏡像対称構成の２つの端部の掛止舌部（２２５）を有し、好ましくは２つのねじ穴（２２８）を有する、接続要素（２２２）。
【発明の詳細な説明】
【技術分野】
【０００１】
本発明は、全体的に、異なるプラグ・コネクタ・モジュールに基づくプラグ・コネクタ・ユニットを作製するためのモジュラー構造システムに関し、特に、異なる種類の伝送および対応するプラグコネクト・ユニットのための、矩形のプラグ・コネクタ・ユニットに関する。本発明は、特に矩形のプラグ・コネクタ・ユニットの、モジュラー・ハウジング・フレームに関する。
【０００２】
本発明は、特に、いわゆる電力および／または電気信号のためのプラグ・コネクタである、電気プラグ・コネクタの分野に関する。
【背景技術】
【０００３】
複数の非常に異なるプラグ・コネクタ・モジュールを有する、世に出ている一般的な種類のモジュラー・システムは、例えばＤ−３２４２７  ＭｉｎｄｅｎにおけるＨＡＲＴＩＮＧ  Ｄｅｕｔｓｃｈｌａｎｄ  ＧｍｂＨ  ＆  Ｃｏ．ＫＧ社の、「Ｈａｎ−Ｍｏｄｕｌａｒ（登録商標）システム」の商品名で提案されている。このシステムは、例えば非特許文献１に記載されている。他の製造者も、類似のシステムを提案している。それらは、異なるプラグ・コネクタ・モジュールを接続して、ユニットを形成するのを可能にする。
【０００４】
それは、いわゆる保持フレーム、特にフレーム内に複数のプラグ・コネクタ・モジュールを受け入れるための複数の同一の受け入れ手段を有する、連接フレームに基づき、例えばＨＡＲＴＩＮＧシステムに実施されている。このフレームは、フレームの幅を画定する２つの平行の広い側壁と、それらに対して垂直で、ハウジング・フレームの高さを画定する２つの平行の狭い側壁と、を有する。そのシステムにおいて、狭い側壁は、広い側壁をロック位置から、およびロック位置へ枢動可能に開閉させるよう働く、回転式連接部を有する。特許文献１は、このような連接フレーム、および連接フレームのプラグ・コネクタ・モジュールとの協働を記載している。連接フレームによって、好適なモジュラー固定手段を用いて設計されたプラグ・コネクタ・モジュールの機械的接続が可能になる。
【０００５】
好適なプラグ・コネクタ・モジュールの例が、特許文献１の図３に示され、他の例が例えば特許文献２に記載されている。
【０００６】
世に出ている一般的な種類のシステムを伴い、電流、信号、操作媒体などの、異なる伝送媒体のための複数の異なるプラグ・コネクタ・モジュールは、プラグ・コネクタ・ユニット内で選択的に組み合わせることができる。異なるプラグ・コネクタ・モジュールを、共に１つのユニットに集めることによって、設定時間およびメンテナンス時間を短縮し、かつ必要な空き容量を低減させる。
【０００７】
上述の非特許文献１、および特許文献２（図４参照）から判るように、従来の公知のシステムにおいて、所望のプラグ・コネクタ・モジュールを用いて組み立てた後で、それぞれの連接フレームには、別個のプラグ、またはプラグ・コネクタ・ユニットの実際のハウジングとして機能する装着ハウジングが設けられ、例えば連接フレームはケーブル支持スリーブまたは装着固定具を有する。
【０００８】
別の製造者から世に出されている一般的な種類の別のシステム、および別のプラグ・コネクタ・モジュールが、特許文献３（図５参照）に記載されている。特許文献３の図６も原理を開示しており、それによっていくつかの同一のハウジング・フレームが、ユニットの形態に延びる方向に共通に並列された関係に配置される。ハウジング・フレームの各々は、個々のプラグ・コネクタ・モジュールをそれぞれ１つのみ受け入れる。
【０００９】
さらに、例えば特許文献４または特許文献５に記載されているように、世に出ている一般的ではない種類のシステムが知られており、それは、電気接触のためのプラグおよびソケット絶縁体が１列に配置され、共に接続されて、プラグおよびソケットそれぞれに直接設けられた接続手段によってユニットを形成する。その場合、別個の保持フレームはなく、実際のプラグまたは装着ハウジングもない。このようなプラグおよびソケット体のための代替のモジュラー原理では、わずかな機械的積載しか可能にせず、様々な伝送媒体のうちの一部の組み合わせのみしか可能にしないので、多くの産業用途にはむしろ不適である。さらに、産業で必要な封止等級は、それを用いてもほとんど履行できない。
【００１０】
さらに特許文献６は、互いに接続可能で、ラックのフレーム構造に特定の同軸貫通接続スリーブを取り付けるよう意図された、ハウジング・フレームを提案している。そのアプローチも、世に出ている一般的な種類ではなく、または異なる分野に関している。なぜなら、フレームのみがラックを作製するための組み立て補助器具を含むが、実際のプラグ・コネクタ・ユニット、すなわちプラグおよび相手プラグの形態で接続できるユニットの、ハウジング部分を含まないからである。
【００１１】
対照的に、本明細書の始めの部分における、世に出ている一般的な種類のモジュラー・システムは、実際の価値を実証し、多くの利点を提供している。しかし、例えば連接フレームの異なる幅、および多数のプラグ、ソケット、または装着ハウジングなど、多くの異なる構成要素を必要とする。
【先行技術文献】
【特許文献】
【００１２】
【特許文献１】独国特許第１９７０７１２０号明細書
【特許文献２】欧州特許第１３９８８５３号明細書
【特許文献３】欧州特許第１３０９０４０号明細書
【特許文献４】米国特許第３２８９１４５号明細書
【特許文献５】独国特許出願公開第３０１４７５５号明細書
【特許文献６】米国特許出願公開第２０１１／０２８７６６１号明細書
【特許文献７】欧州特許第２５３７２１２号明細書
【特許文献８】独国実用新案第２０２０１７１０１４８３号明細書
【非特許文献】
【００１３】
【非特許文献１】ｃａｔａｌｏｇ「ＨＡＲＴＩＮＧ  Ｓｅｌｅｃｔｉｏｎ  Ｇｕｉｄｅ−Ｈａｎ−Ｍｏｄｕｌａｒ（登録商標）Ｓｔｅｃｋｖｅｒｂｉｎｄｅｒ」（Ｖｅｒｓｉｏｎ３，２０１６−１１−２１）
【発明の概要】
【００１４】
本発明の第１の目的は、システムのモジュール性を促進させることである。好ましくは、この目的は同時に、構成要素の全体必要数またはモジュラー・システムの構成部品の全体必要数を低減することを可能にする。それらを用いて構築されたプラグ・コネクタ・ユニットは、特に産業用途における電気プラグ接続のために好適であることが意図される。
【００１５】
その目的は、請求項１に明記されたモジュラー・システムによって実現され、およびそれから独立した請求項１５に明記されたモジュラー・ハウジング・フレームによって実現される。
【００１６】
プラグ・コネクタ・モジュール、特に矩形のプラグ・コネクタ（省略して矩形のコネクタと呼ぶ）を作製するために、世に出ている一般的な種類のモジュラー・システムは、いくつかのハウジング・フレームを含むが、いずれの場合も、内部で複数のプラグ・コネクタ・モジュールを受け入れるための複数の同一の受け入れ手段を有する、少なくとも１つのハウジング・フレームを含む。このハウジング・フレームは、ハウジング・フレームのフレーム幅を画定する２つの平行した広い側壁と、それらに対して垂直で、ハウジング・フレームのフレーム高を画定する２つの狭い側壁と、を有する。
【００１７】
本発明によると、この第１のタイプのハウジング・フレームには、以下のことが提供される。
−フレーム幅が、実質的にフレーム高の整数倍であり、より具体的かつ正確には、整数倍に第１の接合部の遊び（製造ばらつきを除く）を加えたものであり、この遊びは、所定の連接空隙寸法として意図的に設けられる。
−広い両側壁および狭い両側壁、すなわち全ての側壁が、特に外側で解放可能な接続部のための、好ましくはポジティブ・ロック接続または固定のための、接続要素をそれぞれ有する。広い側壁のそれぞれの接続要素は、狭い側壁の接続要素に対応するか、または両方が、別のハウジング・フレームに固定する目的のために協働するよう適合された構成である。
−各広い側壁には、グリッド間隔において共通の間隔関係にある少なくとも２つの接続要素が配置される。フレーム幅に沿って測定されたこのグリッド間隔は、フレーム高、すなわち正確にはハウジング・フレームのフレーム高に、第２の所定の接合部の遊び（製造ばらつきを除く）を加えたフレーム高に相当する。
【００１８】
前述の特徴の組み合わせによって、複数のハウジング・フレーム（可能であれば第１のタイプと同一のもの）が、プラグ・コネクタ・ユニットを形成するために、ハウジング・フレームの接続要素によってモジュラー機構関係で共に接続されるのを可能にする。
【００１９】
その点において、ベース・ユニットとして選択されたフレーム高に対して、おおよそＮ倍のフレーム幅を有する、第１のタイプのハウジング・フレームは、さらなる第２の段階によっていわゆるハウジング・レベルにおけるコネクタ・システムのモジュール性を拡張する、ベース構成要素またはハウジング・ベース・モジュールの典型である。一方で、その場合ハウジング・フレーム自体は、個々に、または別のハウジング・フレームを伴って、いわゆる第１のモジュール段階を表わす公知のプラグ・コネクタ・モジュールをそれ自体が受け入れるための、実際のハウジングとして働く。それらのプラグ・コネクタ・モジュールは、モジュラー絶縁体、および絶縁体が所定の位置に保持する電気接触部または他の媒体コネクタを、実質的に備える。さらに、ハウジングを作製するために要する構成要素の数、特に矩形のコネクタ・ハウジングの数は、モジュラー構造（モジュラー構成要素の形態）において協働するハウジング・フレームの少ない数によって減少される。とりわけ、多くのコネクタ・サイズを有するために、それぞれに対応する好適な寸法の保持フレーム、プラグ・ハウジング、ソケット・ハウジング、取り付けハウジングなどを保管する必要性がなくなる。
【００２０】
この点の重要な態様は、ハウジング・フレームの構造深さに対して垂直である範囲の、２つの方向においてグリッド状の関係に適応する、いわゆる幅および高さの寸法である。接続面または組み立て面の、それら２つの垂直方向（構造深さに対して垂直）において、広い側および狭い側の寸法は、モジュール化に好適な、Ｎを法としたサイドレシオになるよう選択される。換言すると、（わずかな接合部の遊びを無視する場合）広い側が延びる方向の寸法は常に、狭い側が延びる方向の寸法のＮ倍となる。ここでＮは、特に１と４との間、好ましくは２≦Ｎ≦４の自然数を表わす。
【００２１】
別の重要な態様は、複数のハウジング・フレームがモジュラー・システムの構成要素のように選択的に組み立てることができるよう、コネクタがモジュール的に適応する関係に配置される、グリッド寸法である。その点において、狭い側壁では、少なくとも１つの接続要素または１つのみの接続要素を提供することが可能であり、一方で長い側壁では、グリッド関係の間隔で少なくとも２つの接続要素が常に存在する。
【００２２】
複数のハウジング・フレームを組み立てることによって、プラグをワンステップで、別のプラグ・コネクタ・ユニット、特に相手プラグとして複数のハウジング・フレームから共に同様に嵌合されるプラグ・コネクタ・ユニットに接続でき、そこから解放できるプラグ・コネクタ・ユニットを形成することが可能である。
【００２３】
側壁の寸法および接続要素のグリッドサイズを決定することの両方に関して、それぞれ好適な接合部の遊びを許容すべきであり、それによって任意の方向における容易な組み立てが可能になり、ハウジング・フレームの製造ばらつき、および考えられるわずかな変形も容認する。それは、個々のハウジング・フレームからプラグ・コネクタ・ユニットを組み立てるのを容易にする。広い側のＮ倍の寸法のための、第１の接合部の遊びは、グリッド関係における第２の接合部の遊びと同一であってよい。両方それぞれは、狭い側が延びる方向（深さに対して垂直方向）の寸法の、特に５％より十分小さく、好ましくは３％未満の、非常に小さい比率となる。第１および第２の接合部の遊びは、組み立て面が延びる方向の狭い側のそれぞれの寸法によって、例えば、数１０分の１ミリメートルから数ミリメートルであってよい。その点において、接合部の遊びはそれぞれ、相互接続したハウジング・フレームのしっかりとした嵌合または接続を保証するよう、十分小さく設定される。関連する遊びが実質的になくても、ハウジング・フレームの固定は実施されるべきである。
【００２４】
本発明によるモジュラー・ハウジング・フレームはその場合、従来の公知の連接フレームの少なくともかなりの機能を、プラグ、ソケット、またはプラグ、ソケットを受け入れる装着ハウジングと、モジュラー構成に組み合わせる。
【００２５】
上記または各ハウジング・フレームは、１つの部品構造であってよく、または好ましくは複数の部品構造もしくは組成であってよい。ハウジング・フレームは、２つの主部分から構成され得る。１つの実施形態において、ハウジング・フレームは３つの主部分を有する。３つの主部分は、それ自体または保持フレームによって、個々のプラグ・コネクタ・モジュールのための受け入れ手段を形成する、フレーム形状の前部と、この前部に深さ方向に接続され、かつ垂直方向に互いに接続され得る２つの協働するシェル状の後部と、である。これによって、とりわけケーブル組み立てを容易にすることができ、弾性歪みの解放手段における締め付け作用が実現され得る。その目的のため、特に弾性歪みの解放デバイスを、ケーブル通過開口部とプラグ・コネクタ・モジュールの受け入れ手段との間の内部に設けることができる。歪み解放手段は、１つのみの後側の主部分によって、代替的に実施され得る。
【００２６】
記載すべき別の態様は、ハウジング・フレームの全ての４つの外側、すなわち各側壁においてコネクタを伴う構成である。それは、フレームの深さ、または（組み立て面における）プラグ接続方向に対して垂直の両方向の範囲でのモジュラー組み立てを可能にする。それは、モジュラー構造のプラグ・コネクタ・ユニットにおける両方の寸法を自由に選択できる、全体のサイズ決めを可能にする。
【００２７】
第１のベース構成要素の場合、または第１のタイプのハウジング・フレームの場合、フレーム幅は、フレーム高の正確に倍（２倍の寸法）プラス接合部の遊びであってよい。
【００２８】
さらに、第２の構成要素として、フレーム・モジュール・システムの最小のユニットまたは最小の構成要素の典型である、第２のタイプの少なくとも１つのハウジング・フレームが提供され得る。そのハウジング・フレームは、複数のプラグ・コネクタ・モジュールを、例えばポジティブ・ロック固定することによって、ハウジング・フレームの内部に嵌合させるための、少なくとも２つの同一の受け入れ手段を有する。
【００２９】
本発明によると、この場合においても第１のタイプと同様に、第２のタイプのハウジング・フレームに、以下のことが提供される。
−  フレーム幅はフレーム高と同一、すなわちＮ＝１の場合のＮ倍である。
−  全ての側壁はそれぞれ、少なくとも１つ、あるいは複数の特にポジティブ・ロック接続のための接続要素を有する。側壁の接続要素は、隣接する側壁の接続要素に対応し、特に、第１のハウジング・フレームの広い側壁または狭い側壁の接続要素にそれぞれ対応する。
【００３０】
したがって、複数の第２のハウジング・フレームは、それらの接続要素によって、特に第１のタイプである少なくとも１つの別のハウジング・フレームに、モジュール式に接続させることができ、プラグ・コネクタ・ユニットを形成する。
【００３１】
接続要素の相関性は、この場合において概ね解明されることになる。共通して対応する接続要素は、共通に適応する関係で直接的に協働することができるか、または、２つの対応する接続要素と適応関係に設計された、別の別個の接続要素によって固定目的で実施され得る。
【００３２】
プラグ・コネクタ・ユニットのためのモジュール式拡張システムの、特に簡単な実施形態は、上述の第１のタイプのハウジング・フレームのみか、または上述の２つのタイプのハウジング・フレームのみ、あるいはそれらと互換性があり、かつそれ自体はプラグ・コネクタ・モジュールを受け入れない追加の構成要素、特にカバーまたは後側クロージャ、および例えば取り付けプレート、取り付け要素、プラグ・ロック手段などを備える。モジュラー形態で使用され得る、少なくとも１つの別個のコネクタ要素が、モジュラー・システムにも属することができる。
【００３３】
上記で説明したような１つのみのハウジング・フレーム・タイプを用いて、両方向の範囲に比較的自由に選択できる合計サイズを含む、一体のプラグ・コネクタを構築することがすでに可能である。
【００３４】
特に上述のハウジング・フレームの両方のタイプを用いて、両方向の範囲に比較的自由に選択可能な合計寸法を伴う、一体のプラグ・コネクタを構築することが可能になる。
【００３５】
各タイプのハウジング・フレーム、特に第１のタイプのハウジング・フレームおよび第２のタイプにも提供される場合、それぞれがペア状の関係に対応するか、または共通の協働、好ましくはポジティブ・ロック接続を作製するための好適な接続要素が提供される。その点において、基本的に全ての種類のポジティブ・ロックおよび／またはフォース・ロックコネクタが適している。このコネクタは、側壁の主面における機械的に固定された接続部、およびその主面に対して垂直の引張力に対して最小の強度を提供する。プラグイン方向の強度は、プラグ接続を操作するために十分である。引張力に対する最小の強度は、例えば取り付けプレート、カバーなどの別の構成要素によって、必要な固定に対して補足され得る。
【００３６】
好ましい開発において、接続要素の全てでなくとも少なくとも一部は、ポジティブ・ロック接続のために設計される。対応する接続要素は、特に同一であってよく、またはペア状の相補的構成もしくは対を成す構成であってもよい。
【００３７】
接続要素は、好ましくは側壁上の外部または側壁中の外部に設けられる。原則的に、ポジティブ・ロックおよび／またはフォース・ロックのための接続要素の全ての好適な種類、特に解放可能なフォース・ロック接続部が考慮される。例えば、開口部または穴を伴うピンと相補的に差し込む関係で協働するノブ、アンダーカット構成のスナップコネクタ、掛止フックおよび掛止縁部を有するクリップ・コネクタなどである。
【００３８】
好ましくは、ハウジング・フレームの構成要素部分は、側壁中の外部における凹部の形態である接続要素であり、それによってモジュール化を促進して、露出した外側における面倒な縁部、突出部などを避ける。
【００３９】
したがって特に好ましくは、側壁の凹状の接続要素と協働する、追加の別個の接続要素が提供される。それによってモジュール化を促進し、補修またはメンテナンスのために、個々のハウジング・フレームを、すでに組み立てられたか、または最終的に嵌合されたプラグ・コネクタ・ユニットから解放するのを容易にする。
【００４０】
簡単で特に好ましい実施形態において、いくつか、好ましくは全ての接続要素は、ハウジング・フレームの深さ方向に延びるか、または組み立て面に対して垂直方向に延びる溝の形態であり、その溝は、側壁において例えばＴ型、蟻継ぎ型などの、溝形接続に好適な断面を有する。
【００４１】
特に、全ての接続要素が溝の形態である場合、溝によってハウジング・フレームを接続するための、接続舌部の形態である別個で別の接続要素である、いわゆる舌部を提供することが可能である。
【００４２】
この接続要素は、特に蟻継ぎ接続のための断面であってよく、特に接続舌部は、二重蟻継ぎの構成の断面であり、反対に向けられたＶ型の楔構成を伴う。
【００４３】
好ましい構成において、ハウジング・フレームの接続要素と協働するために、溝形接続を形成するための好適な別個の接続舌部が提供される。それらは、好ましくは蟻継ぎ接続のための断面である。
【００４４】
それとは関係なく、ハウジング・フレームの接続要素とポジティブ・ロックで協働する、別個のコネクタが好ましい。
【００４５】
コネクタまたは接続舌部は、好ましくはハウジング・フレームとの掛止のための鏡像対称構成で、両方の向きで掛止可能な２つの掛止舌部を有する。外部の構成要素に固定するため、主本体における別個のコネクタまたは接続舌部は、好ましくは少なくとも一方の主側において皿ねじ頭を伴う、好ましくは２つのねじ穴を有する。
【００４６】
溝形接続を構成するために溝を使用する場合、溝は、ハウジング・フレームの深さ方向、または組み立て面に対して垂直方向に、止め穴状の構成として設けられてもよく、とりわけそれによって舌部を所望の位置に拘束することが可能になる。安定した接続部を構成するために、好ましくは後側から延びる溝は、ハウジング・フレームの深さの少なくとも３３％を越えて延びるべきである。
【００４７】
公知のプラグ・コネクタ・モジュール自体を設定するために、公知の保持フレーム自体をハウジング・フレームに取り付けることができる。公知のプラグ・コネクタ・モジュール自体の設定のために、第１および第２のポジティブ・ロック凹部が、広い側壁の両内側における各受け入れ手段に対して反対関係に設けられるよう、代替的に提供することができる。この凹部は、プラグ接続モジュールの相手側手段との掛止目的のために協働する。したがって、公知のプラグ・コネクタ・モジュール自体は、ハウジング・フレームに直接拘束され、例えば一般的な公知の連接フレームのような中間フレームの必要なく、その中で向きを決められてよい。
【００４８】
ラインの貫通部のクロージャ、あるいは封止のため、２つの後部のかわりに、ハウジング・フレームの後側に好ましくはそれぞれ好適な寸法のカバーを設けることも可能であり、ケーブル貫通支持スリーブを伴うケーブル出口が、この場合に好ましい。好ましくは、後部またはカバーは同時に、別個または一体化された接続要素を、深さ方向もしくはプラグイン接続方向に固定する。
【００４９】
本発明は、特に実質的にハウジング・フレーム（および従来のプラグ・コネクタ・モジュール）から成る２つのプラグ・コネクタ・ユニットが、ハウジング・フレームなどを囲むそれぞれ別のプラグ・ハウジングなしで、プラグ・コネクタ・モジュールのプラグ接続部のために協働するのを可能にする。プラグおよび相手プラグとして働く、２つのプラグ・コネクタ・ユニットは、その点で、特に同一のハウジング・フレームによって構成され得る。
【００５０】
ハウジング・フレームは、プラスチック、特にポリカーボネートまたは繊維補強プラスチックから、好ましくは射出成形を用いて作ることができ、それによって追加の電気絶縁が同時に実現される。プラグ・コネクタ・ユニットのＥＭＶ遮蔽が必要である場合、例えば好適なコーティング処理によって実現され得る。
【００５１】
当然ながら、ハウジング・フレームは、それぞれの要件に依拠して、部分的または完全に金属から作ることができる。金属のハウジング・フレームの場合、製造は、例えばアルミニウム、亜鉛、または特にアルミニウムおよび／または亜鉛を用いた好適な合金を使用した、ダイカスト処理を用いることを考慮に入れることができる。なぜならハウジング・フレームは、１つまたは複数の形状の部分から作られるからである。金属製ハウジング・フレームは、本来の良好な遮蔽による、保護接地またはより良好な信号の完全性を可能にする。金属製ハウジング・フレームの内側に、ハウジング・フレームをＰＥ保護導体に接続するための、接続部または端子を設けることが可能である。
【００５２】
追加の構成要素として、特に別個の組み立て部分、特に組み立て角度部材および／または組み立てプレートを提供することが可能である。それらは、プラグ・コネクタ・ユニットを、機械部分、スイッチ・キャビネットなどのそれぞれの接続箇所に固定するため、側壁の接続要素と協働する。追加の構成要素は、原則的に、ハウジング・フレームまたは好適なプラグ・コネクタ・モジュールがそれ自体では実行できない機能のためのみに、必要とされる。
【００５３】
２つの接続されたプラグ・コネクタ・ユニットを固定するため、ハウジング・フレームに固定できるロック・ループなどのロック部分またはロック手段などを設けることが可能である。プラグ接続部の機械式ロックのため、例えばＨａｎ−Ｅａｓｙ  Ｌｏｃｋ（登録商標）の原理（上述の非特許文献１参照）に従った、１ループまたは２ループのロック・デバイス、トグル・レバーのロック装置またはねじロック装置、差し込みピン式ロック装置などを設けることが可能である。協働するロック構成要素を、装着装置または組み立て部分に設けることができる。しかし、ロック・ループなどの好適に適合されたロック構成要素は、ハウジング・フレームの接続要素に直接取り付けることもできる。任意の考えられる所望のロック手段を、ハウジング・フレームを備えるプラグ・コネクタ・ユニットに、モジュール形式で取り付けることができる。
【００５４】
好ましくは、ベース構成要素または第１のタイプのハウジング・フレームとして提供される各ハウジング・フレームは、２ｎ個のプラグ・コネクタ・モジュール以下の、偶数（２×ｎ、ｎは自然数）の同一の受け入れ手段を有する。特にプラグ・コネクタ・モジュールを固定するための、４、６、または８個の受け入れ手段を有する。その場合、受け入れ手段は特に、異なる伝送媒体のための、異なる接続手順を含む５０の異なるモジュールを提供する、前述の「Ｈａｎ−Ｍｏｄｕｌａｒ（登録商標）ｓｙｓｔｅｍ」を備えるプラグ・コネクタ・モジュールに適応する構成であってよい。
【００５５】
第２のタイプの任意選択のハウジング・フレームは、プラグ・コネクタ・モジュールのための、特に第１のタイプのハウジング・フレームと比較して半分の数の、正確に２つの受け入れ手段を特に有し得る。
【００５６】
受け入れ手段は、好ましくは嵌合したプラグ・コネクタ・モジュールが、その主体がハウジング・フレームの広い側に対して横断方向に延びて置かれるように配置される。したがって幅方向または広い側の寸法は、好ましくはプラグ・コネクタ・モジュールの狭い側の寸法に比例して延びる。すなわち、プラグ・コネクタ・モジュールは、好ましくはその広い側を、ハウジング・フレームの狭い側と平行に置かれる。
【００５７】
モジュラー・システムの他に、当然ながら本発明はそのような個々のハウジング・フレームにも関し、というのも、はじめに、そのようなハウジング・フレームによって、すでにモジュールである当該システムにおいて、モジュール形式における（いわゆる「ハウジング・レベル」にある）第２の段階が可能になるからである。その場合における各ハウジング・フレームは、２つの平行の側壁がフレーム幅を画定し、それに対して垂直の２つの平行の側壁がフレーム高を画定するハウジング・フレームの内部における、それぞれのプラグ・コネクタ・モジュールのための、２つの同一の受け入れ手段を有する。
【００５８】
本発明によるモジュラー・ハウジング・フレームは、以下で特徴付けられる。
−フレーム幅はフレーム高の実質的にＮ倍であり、あるいは接合部の遊びを含む。Ｎは自然数で、特に１〜８、好ましくは１≦Ｎ≦４、特に好ましくは２≦Ｎ≦４である。
−全ての側壁は、特にポジティブ・ロック接続のための接続要素を有し、側壁のそれぞれの接続要素は、それらに対して垂直な側壁の接続要素に対応する。
−接続要素は、複数のハウジング・フレームが、それらの接続要素によって、プラグ・コネクタ・ユニットを形成するようにモジュラー関係で互いに接続できるようなグリッド距離に従って、互いに対して配置される。
【００５９】
グリッド距離は、隣接する側壁の境界面に対する距離の２倍で構成することができる。より具体的には、１つのみの接続要素が、フレーム高を画定する側壁の中央に配置されるとき、グリッド距離は適用される。グリッド距離は、特に最小のハウジング・フレームおよび／またはベース・ユニットもしくはベース・モジュールとして提供されたハウジング・フレームに適用することができる。２番目に大きいフレーム構成要素の場合、または２つの接続要素を伴う広い側壁の場合、グリッド距離は、広い側壁において隣接する２つの接続要素間の距離に相当する。
【００６０】
本発明は、ケーブル、ホースなどのライン、あるいは、特に電気ラインなどの異なる伝送媒体のための複数のプラグ・コネクタ・モジュールを含む、プラグ・コネクタ・ユニットにも関する。このユニットは、前述の実施形態のうちの１つによる、少なくとも２つのハウジング・フレームから構成される。したがって、上記または全てのプラグ・コネクタ・モジュールはそれぞれ、ハウジング・フレームのうちの１つに受け入れられ、このハウジング・フレームは、それらの接続要素によって互いに固定されて接合され、ユニットを形成する。その場合、各プラグ・コネクタ・ユニットは、設定されたプラグ・コネクタ・モジュールのそれぞれの選択によって、プラグまたは相手プラグのいずれかを選択的に表わすことができる。
【００６１】
本発明は、特に矩形のコネクタ、特に電気ライン、しかしまた光学媒体、液体媒体、気体媒体、または他の伝送媒体などのラインのためのプラグ・コネクタ・ユニットを作製するための、前述の実施形態のうちの１つによる、ハウジング・フレームの使用にも関する。
【００６２】
本発明の別の有利な特徴および作用は、前述の説明の概説について制限なく、添付の図を参照して、例として２つの実施形態によって、以下でさらに詳細に説明する。
【図面の簡単な説明】
【００６３】
【図１】第１および第２のタイプの複数のハウジング・フレームによって構成された、例としてのプラグ・コネクタ・ユニットの斜視図である。
【図２】図１の分解組立図である。
【図３Ａ】溝形接続要素によって２つのハウジング・フレームの互いの固定を示す正面図である。
【図３Ｂ】２つのハウジング・フレームの互いの固定に好適な、接続舌部の斜視図である。
【図４】第１のタイプのハウジング・フレームの構造を示す、分解組立図である。
【図５】第１のタイプまたは第２のタイプのハウジング・フレームの深さに沿った、長手方向の断面図である。
【図６】別の実施形態による、ハウジング・フレームの分解組立図である。
【図７Ａ】別の実施形態によるプラグとしてのハウジング・フレームの、組み立て後の図である。
【図７Ｂ】別の実施形態による相手プラグとしてのハウジング・フレームの、組み立て後の図である。
【図８】図６、図７Ａ、および図７Ｂに示すハウジング・フレームを備える、例としてのプラグ・コネクタ・ユニットの斜視図である。
【図９】図６、図７Ａ、および図７Ｂに示すハウジング・フレームの、溝形接続を構成するための接続舌部の斜視図である。
【発明を実施するための形態】
【００６４】
全ての図において、同一の参照番号は同一の特徴、または同等の性質もしくは効果の特徴を示す。明確に示すため、同じ状態の多くの特徴は繰り返して確認しない。
【００６５】
図１および図２は、単に例として、矩形のプラグ・コネクタ・タイプで構成されたプラグ・コネクタ・ユニット１０を示す。プラグ・コネクタ・ユニット１０は、第１のハウジング・フレーム１１および第２のハウジング・フレーム１２、ならびに２つの側方取り付けフランジ１３で構成される。２つのタイプのみのハウジング・フレーム１１、１２が、プラグ・コネクタ・ユニット１０の構造における高いレベルのモジュール化をすでにもたらしている。
【００６６】
ハウジング・フレーム１１、１２の各々は、方形構成に配置された４つの側壁１４、１６を伴い、互いに直角で、かつ前側および後側に開いている、中空フレームの形態である。差し込み接続が、組み立て面（図５に対して垂直な面）の前側において、別のプラグ・コネクタ・ユニット（図示せず）に対してもたらされる。２つの平行の側壁１４は、ハウジング・フレーム１１、１２のフレーム幅Ｂ１およびＢ２それぞれを画定し、他の２つの平行の側壁１６は、ハウジング・フレームのフレーム高Ｈを画定する。フレーム幅Ｂおよびフレーム高Ｈが延びる垂直方向は、ハウジング・フレーム１１、１２の深さＴに対して垂直な組み立て面を画定する。
【００６７】
ハウジング・フレーム１１、１２の両方において、フレーム幅Ｂ１、Ｂ２は、フレーム高Ｈの実質的にＮ倍である。ここでＮは自然数である。Ｂ１、Ｂ２、およびＨは、ここではＨである選択された最小寸法単位に対して数学的に合同である。第１のハウジング・フレーム１１において、フレーム幅Ｂ１は、実用上正確にフレーム高Ｈの２倍に、組み立てを容易にするために数１０分の１ミリメートルのわずかな所定の接合部の遊びを加えたものである。第２のハウジング・フレーム１２において、フレーム幅Ｂ２はフレーム高Ｈと実用上同一（製造ばらつきを除く）であり、ここでは接合部の遊びは設けられない。その場合のフレーム高Ｈは、寸法の基本単位または最小単位を表わし、ハウジング・フレーム１１、１２の両方で同一である。
【００６８】
図１〜図５は、各ハウジング・フレーム１１、１２の接続要素２０に関する別の例を示す。それらはモジュラー・アセンブリに好適で、全ての４つの側壁１２の外側に提供される。ここで、ポジティブ・ロック接続を構成するための溝が、接続要素２０として提供される。原則的に、側壁１４または１６のそれぞれの接続要素２０は、それらに対して垂直の側壁１６または１４の関連する接続要素に対応し、それによって２つは共に嵌合するか、または、別個のコネクタ部分を用いて協働できる。図１〜図５の例において、接続要素としての全ての溝は同一である。
【００６９】
接続要素２０は、複数のハウジング・フレーム１１、１２を、それらの接続要素によってモジュラー構造で、かつ４つの空間的向きのそれぞれにおいて、または各側壁１４、１６で互いに接続できるように、周辺、または幅Ｂ１、Ｂ２および高さの両方向に沿ったグリッド寸法Ｒに従って互いに対して配置される。したがって、使用者はハウジング・フレーム１１、１２をモジュラー・システムの構成要素として使用して、実際上任意の構成のプラグ・コネクタ・ユニットを形成することができる。例えば取り付けフランジ１３のような別の装着部に、モジュラー構造のためのコネクタ２３を設けることができる。
【００７０】
第１のハウジング・フレーム１１において、示した実施形態では２つの接続要素２０が、広い側壁１４それぞれにグリッド距離Ｒで設けられる。それぞれの接続要素２０は、狭い側壁１６の正確に中央に嵌合または組み込まれる。この場合、接続要素２０は、垂直に隣接する側壁１４、１６それぞれの境界面に対して、グリッド距離の半分の距離すなわち１／２Ｒの距離にある。図示しないが、例えばより小さいグリッド距離を伴うか、またはより大きいハウジング・フレーム１１、１２の場合、より多くのモジュール式に配置された接続要素２０を設けることが可能である。広い側壁は、ｍ×ｎ個の接続要素２０を有する。好ましくはｍは偶数で、ｎは狭い側壁の接続要素２０の数に相当する。その場合、整数値ｍは、寸法比Ｂ１：Ｈ、またはＢ１：Ｂ２（Ｂ１＝Ｈのとき）のそれぞれに対応する。
【００７１】
好適に適合させた、寸法Ｂ１、Ｂ２でＨを法とする（あるいは遊びを加えた）側壁１４、１６と、モジュラー式またはグリッド状に配置された接続要素２０を組み合わせることにより、モジュラー式の原則またはモジュラー化が、図２の例で示されるように、ハウジング・フレーム１１、１２の組み立てのために実施される。この場合、全ての４つの側壁１４、１６を、接続または組み立てのためにそれぞれ使用することができ、それによって、組み立て面の両方向の範囲における構成は、Ｈを法とする任意の全幅、およびＨを法とする任意の全高（ＨまたはＢ２を最小単位として用いる）を用いて、自由に選択され得る。
【００７２】
図１および図２には詳細に示されていない接続手順は、図３〜図５に示される。接続要素２０は常に、深さＴの方向に平行、またはプラグ・コネクタ・ユニット１０の差し込み方向に平行に延び、蟻継ぎ接続または溝形接合の溝の形態である。２つのハウジング・フレーム１１、１２を固定するため、それぞれ堅固にロックする関係で側壁１４、１６の溝状の接続要素２０の中に半分が嵌合する断面である、好適な数の接続舌部２２が存在し、それによって他方の半分は、反対側に配設された、接続されるハウジング・フレーム１１、１２の溝または接続要素２０に受け入れられる。したがって接続舌部２２は、概ね「＞＜」形状断面の細長い形状のピンまたは組み立てピンの形状である。したがって、接続舌部２２は、反対の両側に長手方向に配設された、平行な概ねＶ型狭窄部２４を有し、その背部において接続要素２０（図示せず）の蟻継ぎ型の断面と係合して、ポジティブ・ロック接続をもたらす。
【００７３】
接続舌部２２は、深さ方向のずれを防ぐために固定される。それは、一方では後側カバー４０またはクロージャによって、および他方では、溝の止め穴の構成によってもたらされる。この溝は、接続要素２０として働き、後端部から深さの約４０％を越えて延びて、それぞれ側壁１４、１６内で終端する。すなわち、溝は全深さを越えて連続的に延びない。カバー４０によるロック目的のために、接続舌部２２の一方の側には、対応する受け入れ手段４２にカバーの遊びを伴って固定される、拘束突起部２５が設けられる。カバーの固定は、例えばハウジング・フレーム１１、１２の縁部と、対応する穴４４によるねじ接続でもたらすことができる。周辺に延びる封止部（図示せず）を、側壁１４、１６の端縁部のカバー４０の内側に設けることができる。最も広範に変化するケーブルの入口手段（図示せず）を、カバー４０の壁に設けることができる。その目的のため、および実際のラインのために、好適な自由空間４６が、ハウジング・フレーム１１、１２の内部に設けられる。
【００７４】
図３〜図５は、複数の同一の受け入れ手段、例えばハウジング・フレーム１１の内部のそれぞれのプラグ・コネクタ・モジュール１８のための、第１のハウジング・フレーム１１内の４つの受け入れ手段３０ａ、３０ｂ、３０ｃ、３０ｄを示す。（図１〜図５での図中の例示目的のみのために、常に同じプラグ・コネクタ・モジュール１８を示す。当然ながら、実際には多数の公知の異なるプラグ・コネクタ・モジュール１８が使用される。）この場合、全てのプラグ・コネクタ・モジュール１８は、例えばプラスチック絶縁体である外側の狭い側に、同一に配置された固定インターフェイスを有する。それらのモジュラー固定インターフェイスは、従来から知られている保持フレーム（図示せず）と掛止するよう意図され、例えば複数の掛止突起部１９Ａ、１９Ｂ、掛止フックなどを含むことができる。２つのハウジング・フレーム１１、１２の各受け入れ手段３０ａ、３０ｂ、３０ｃ、３０ｄに、ポジティブ・ロック固定作用を作製するための手段が設けられ、それらはそれぞれプラグ・コネクタ・モジュール１８の固定インターフェイスと合致する。図５は、例えば介在する掛止突起部３３を伴う、第１および第２のポジティブ・ロック凹部３１、３２を示す。ここでは矩形であるポジティブ・ロック凹部３１、３２は、平行で対向関係に配設され、幅方向に延びる側壁１４、１６の内側壁に設けられる。第１のポジティブ・ロック凹部３１は、プラグ・コネクタ・モジュール１８の挿入を容易にするために後部外側に開いており、プラグ・コネクタ・モジュール１８の前側の掛止フック１９Ｂは、第２のポジティブ・ロック凹部３２の中に係合する。プラグ・コネクタ・モジュール１８は、差し込み方向にずれるのを防ぐために、掛止突起部３３によって固定される。プラグ・コネクタ・モジュール１８は、ハウジング・フレームに好適に向けられ、かつ解放可能に接続されたポジティブ・ロック凹部３１、３２によって、差し込み方向と反対関係にあるずれを防ぐために、ハウジング・フレーム１１、１２に直接拘束される。受け入れ手段３０ａ、３０ｂ、３０ｃ、３０ｄの数は、好ましくは両方のハウジング・フレーム１１、１２において偶数である。
【００７５】
モジュール・システムの全ての構成要素、特にハウジング・フレーム１１、１２は、プラスチックから安価で作製でき、この点で、高レベルの曲げ強さを有する特殊技術プラスチック、特に繊維補強プラスチックは、ねじれに対する剛性のために好ましい。プラグ・コネクタ・ユニット１０のための様々なロック手段を伴う組み立て部分、設備または機械のアイテムに装着するための組み立てプレートなど、システムの別の構成要素は図示しないが、当業者には明白であろう。
【００７６】
図１〜図５に示す例は、ハウジング・フレーム１１、１２の２つの基本的タイプのみを示し、その点で当然ながらハウジングは、例えば第１のハウジング・フレームと比較して「２倍」にされ、２倍の高さ２Ｈおよび同じ幅Ｂ１などを有する方形断面の、第３のタイプのハウジング・フレームなど、別の率に応じて定めることができる。その場合の全てのハウジング・フレームは、互いにモジュール式に合致し、かつ任意の所望の方法で組み合わせることができる。
【００７７】
さらなるモジュール化レベルで本発明によって拡大されたモジュラー・システムにより、少ないハウジング・フレーム１１、１２のタイプを用いて、調整可能な、考えられる全ての外形を、迅速、簡易、かつ安価で製造することが可能となる。
【００７８】
そのように構築されたプラグ・コネクタ・ユニット１０は、特に産業用途などの全ての分野で、例えば機械の電源および制御のための中央プラグ・ユニットとして、相対的に可動の部品間の分離手段として、例えばエネルギー案内チェーンのための接続要素に、スイッチ・キャビネットに、および設備の他のアイテムなどに、使用できる。
【００７９】
図６〜図９は、プラグ・コネクタ・ユニット２１０またはプラグ・アセンブリ（図８）の構成のための、本発明によるハウジング・フレーム２１１の、第２の好ましい実施形態を示す。第１の実施形態に対する本質的な相違は、ハウジング・フレーム２１１が、例えばメタル圧力ダイカストまたはプラスチック・ダイカストを用いて、実質的に別個に作製した３つの形状部分から構成される点である。
【００８０】
図６は、３つの主な構成要素を示す。すなわち、ハウジング・フレーム２１１のプラグ側を形成するフレーム形状の前部２１１Ａ、および差し込み方向または深さＴに対して垂直に組み立てられ、かつ最終的なハウジング・フレーム２１１のプラグ側から離れた部分を形成する、２つの後部２１１Ｂ、２１１Ｃである（図７Ａおよび図７Ｂ参照）。
【００８１】
図３〜図５と同様、フレーム状の前部２１１Ａの内部には、それぞれのプラグ・コネクタ・モジュール１８（ここでは図示せず）のためのいくつかの受け入れ領域２３０ａ〜２３０ｄが提供され、それによって公知のプラグ・コネクタ・モジュール１８自体を、前部２１１Ａに取り付けることができる。図６〜図９に示す例において、プラグ・コネクタ・モジュール１８のための別個の保持フレーム（図示せず）が、前部２１１Ａに取り付けられる。例えば、これに関する教示が本明細書に組み込まれている、特許文献７の図４に示すような保持フレームを使用することが可能である。このような保持フレームは、受け入れ領域２３０ａ〜２３０ｄの各々において、それぞれの受け入れ手段を形成する。鏡像関係のフレーム高Ｈをあらかじめ決める側壁２１６の、端部の内側には、芯合わせ突起部２５０および対応する芯合わせ受け入れ手段２５２を備える、それぞれの対が設けられる。芯合わせ突起部２５０および関連する芯合わせ受け入れ手段２５２は、プラグおよび相手プラグ（図７Ａおよび図７Ｂ参照）をそれぞれ形成する、２つのプラグ・コネクタ・ユニット２１０を備えるプラグ接続部の作製を容易にする。さらに、ラベル・プレート２５６の受け入れ手段２５４を、前部２１１の大きい側壁２１４の両側の中央位置に、それぞれ設けることができる。
【００８２】
前部２１１Ａの全ての側壁２１４、２１６の外側には、深さＴ方向にグリッド寸法Ｒに従って延びる、本発明による第１の接続溝２２０Ａが設けられる。したがって、ここでも複数のハウジング・フレーム２１１を、モジュラー関係にあるそれらの接続要素によって、４つの空間的向きまたは各側壁２１４、２１６において、共に接続することができる（図８参照）。
【００８３】
第１の接続溝２２０Ａは、両方の後部２１１Ｂ、２１１Ｃにおいて、接続舌部（図９）を用いて、整合された第２の接続溝２２０Ｂと接合的に協働し、２つ以上のハウジング・フレーム２１１の間に溝形接続を作製する。
【００８４】
さらに、後部２１１Ｂ、２１１Ｃの少なくとも第２の接続溝２２０Ｂに、掛止凹部２２１が設けられる。掛止凹部２２１は、２つの掛止舌部２２５のそれぞれ１つの掛止係合、鏡像の対称関係の掛止係合、差し込み方向または深さＴ方向の接続舌部（図９参照）の掛止係合を可能にするための、後方への掛止縁部を形成する。接続舌部２２２は、図９により詳細に示される。一方の端部において、接続舌部２２２は鏡像の対称構成である２つの掛止舌部２２５を含む。掛止舌部２２５それぞれは、外側の中央に凹部２２７を有する。組み立てられた配置の凹部２２７は、後部２１１Ｂ、２１１Ｃの対応する凹部２１７と整合し、例えばマイナスドライバによって掛止舌部の解放を可能にする。さらに、接続舌部２２２の主本体には、少なくとも一方が皿穴２２９を有し得る２つの連続したねじ穴２２８が設けられる。ねじ穴２２８は、プラグ・コネクタ・ユニット２１０を、例えばスイッチ・キャビネットまたは取り付けプレートの任意の所望の表面に固定するのを可能にする。
【００８５】
さらに、第１の実施形態と同様、溝形接続を構成するために、接続舌部２２２は、反対関係において両側に配置されて概ねＶ型断面である、狭窄部２２４を有する。狭窄部２２４は、溝２２０Ａ、２２０Ｂの長手方向縁部と協働し、対向的に配設された２つのハウジング・フレーム２１１の、堅牢な接続を可能にする（図８参照）。
【００８６】
後部２１１Ｂ、２１１Ｃを前部２１１Ａに固定するために、後部２１１Ｂ、２１１Ｃの角部のねじ穴、および前部２１１Ａのねじ山（図示せず）がそれぞれ存在する。差し込み方向に対して垂直に、２つの後部２１１Ｂ、２１１Ｃも、ねじ接続または他の好適な固定接続によって、互いに固定することができる。歪み解放デバイスを、後部２１１Ｂ、２１１Ｃの間の内部に設けることができる。
【００８７】
図６に示す例において、歪み解放デバイスは、上部歪み解放部２７０Ａおよび同じ構造でよい下部歪み解放部２７０Ｂを含む。歪み解放部２７０Ａ、２７０Ｂは、特許文献８の実用新案原理に基づく、弾性的に変形可能なハニカム状の領域を有してよい。上後部２１１Ｂを下後部２１１Ｃに接続した後、歪み解放部２７０Ａ、２７０Ｂは、それぞれプラグ・コネクタ・モジュール（図示せず）に接続されることになるケーブルに、締め付け力を生成する。しかし、高い締め付け力は要求されない。なぜなら、歪み解放部２７０Ａ、２７０Ｂの好適な構成を伴い、プラスチック材料の好適な組み合わせの表面接着によって、すでに十分な歪み解放が実現され得るからである。
【００８８】
さらに、後部２１１Ｂ、２１１Ｃの後側には、ラインまたはケーブル（図示せず）を貫通させるためのケーブル貫通支持スリーブ２８０と適応する凹部が設けられる。好ましくは、概ねひし形断面のスロット付きケーブル貫通支持スリーブ２８０を使用し、それによって後部２１１Ｂ、２１１Ｃの接続の際に、さらなる締め付け作用を、ケーブル貫通支持スリーブ２８０の側部の互いに対して鋭角である形状による、好適に傾斜した継続面２８２によって、封止効果に加えてラインの上に実現できる。ここで例として示されるのは、ラインの４つの出口である。４本未満のケーブルの出口および／または異なる出口径も可能である。
【００８９】
ケーブル貫通支持スリーブ２８０に加えて、好適な封止部が、ハウジング・フレーム２１１の主部分の間、すなわち前部２１１Ａと、２つの後部２１１Ｂ、２１１Ｃとの間に、さらにそれぞれ設けられる。ここで示される例において（図６）、封止部は、例えば歪み解放部２７０Ａ、２７０Ｂと一体化して作製される。別個の封止部を、前部２１１Ａと２つの後部２１１Ｂ、２１１Ｃとの間に設けることも可能である。プラグ・コネクタ・ユニット２１０は、少なくとも水滴あるいは水しぶきに対して、封止部によって封止される。好ましくは、プラグ・コネクタ・ユニット２１０は、水しぶきに対して耐性があり、好ましくは噴射水に対して耐性がある。周囲の封止部（図示せず）も、プラグ側の前部２１１Ａの前に設けることができる。
【００９０】
図７Ａおよび図７Ｂは、２つのプラグ・コネクタ・ユニット２１０の協働を、プラグおよび相手プラグの形態で、（ここでは例として、プラグ・コネクタ・モジュールなしで、１つのみの接続舌部２２２をそれぞれ伴って）示す。
【００９１】
図８は、例としてプラグ・アセンブリを形成するために共に接続された、３つのプラグ・コネクタ・ユニット２１０を伴う配置を示す。プラグ・コネクタ・ユニット２１０を備える、このようなプラグ・アセンブリを使用する場合、非互換性も、従来のプラグ・コネクタに対して本質的に改善される。プラグ・コネクタ・ユニット２１０から好適に構成されたプラグ・アセンブリの場合の、プラグおよび相手プラグは、本質的に回転不可および／または非互換性である。
【符号の説明】
【００９２】
図１〜図３
Ｂ１  幅
Ｂ２  幅
Ｈ  高さ
Ｒ  グリッド寸法またはグリッド距離
Ｔ  深さ
１０  プラグ・コネクタ・ユニット
１１  ハウジング・フレーム（第１のタイプ）
１２  ハウジング・フレーム（第２のタイプ）
１３  取り付け部品
１４  側壁（幅）
１６  側壁（高さ）
１８  プラグ・コネクタ・モジュール
１９Ａ  掛止突起部
１９Ｂ  掛止突起部
２０  接続要素
２２  接続舌部
２３  接続舌部
２４  狭窄部
２５  拘束突起部
３０ａ  （プラグ・コネクタ・モジュールの）受け入れ手段
３０ｂ  （プラグ・コネクタ・モジュールの）受け入れ手段
３０ｃ  （プラグ・コネクタ・モジュールの）受け入れ手段
３０ｄ  （プラグ・コネクタ・モジュールの）受け入れ手段
３１  ポジティブ・ロック凹部
３２  ポジティブ・ロック凹部
３３  掛止突起部
図４〜図５
４０  カバー
４２  （拘束突起部の）受け入れ手段
４４  （ねじの）穴
４６  自由空間
図６〜図９
Ｂ  幅
Ｈ  高さ
Ｒ  グリッド寸法またはグリッド距離
Ｔ  深さ
２１０  プラグ・コネクタ・ユニット
２１１  ハウジング・フレーム
２１１Ａ  （ハウジング・フレームの）前部
２１１Ｂ  （ハウジング・フレームの）後部
２１１Ｃ  （ハウジング・フレームの）後部
２１４  側壁（幅）
２１６  側壁（高さ）
２１７  凹部
２２０Ａ  第１の接続溝
２２０Ｂ  第２の接続溝
２２１  掛止凹部
２２２  接続舌部
２２４  狭窄部
２２５  掛止舌部
２２７  凹部
２２８  ねじ穴
２２９  ねじの皿穴
２３０ａ  （プラグ・コネクタ・モジュールの）受け入れ手段
２３０ｂ  （プラグ・コネクタ・モジュールの）受け入れ手段
２３０ｃ  （プラグ・コネクタ・モジュールの）受け入れ手段
２３０ｄ  （プラグ・コネクタ・モジュールの）受け入れ手段
２５０  芯合わせ突起部
２５２  芯合わせ受け入れ手段
２５４  （ラベル・プレートの）受け入れ手段
２５６  ラベル・プレート
２６０  （後部の）ねじ穴
２７０Ａ  弾性歪み解放部
２７０Ｂ  弾性歪み解放部
２８０  ケーブル貫通支持スリーブ
２８２  傾斜した継続面
【図１】
2020516030.tif 000003
【図２】
2020516030.tif 000004
【図３Ａ】
2020516030.tif 000005
【図３Ｂ】
2020516030.tif 000006
【図４】
2020516030.tif 000007
【図５】
2020516030.tif 000008
【図６】
2020516030.tif 000009
【図７Ａ】
2020516030.tif 000010
【図７Ｂ】
2020516030.tif 000011
【図８】
2020516030.tif 000012
【図９】
2020516030.tif 000013
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
矩形のプラグ・コネクタ（１０）を作製するための、プラグ・コネクタ・モジュールのモジュラー・システムであって、プラグ・コネクタ・ユニット（１０、２１０）および別のプラグ・コネクタ・ユニット（１０、２１０）、すなわちプラグおよび相手プラグを含み、前記プラグおよび前記相手プラグは、ラインのための複数のプラグ・コネクタ・モジュール（１８）を有する少なくとも１つの第１のハウジング・フレーム（１１、２１１）をそれぞれ含み、前記プラグ・コネクタ・モジュール（１８）は前記ハウジング・フレーム（１１、２１１）の内側の複数の同一の受け入れ手段（３０ａ、３０ｂ、３０ｃ、３０ｄ、２３０ａ、２３０ｂ、２３０ｃ、２３０ｄ）のうちの１つにそれぞれ受け入れられ、前記プラグおよび相手プラグとしての前記プラグ・コネクタ・ユニットは、前記プラグ・コネクタ・モジュール（１８）の差し込み接続のために協働し、前記ハウジング・フレームは、前記ハウジング・フレームのフレーム幅（Ｂ１、Ｂ）を画定する２つの平行の広い側壁（１４、２１４）、およびそれらに対して垂直で前記ハウジング・フレームのフレーム高（Ｈ）を画定する２つの平行の狭い側壁（１６、２１６）を有し、
−  前記フレーム幅（Ｂ１、Ｂ）は、前記フレーム高（Ｈ）の整数倍で、好ましくは接合部の遊びを加え、
−  前記広い側壁（１４、２１４）および前記狭い側壁（１６、２１６）は、特にポジティブ・ロック接続のための接続要素（２０、２２０Ａ、２２０Ｂ）を有し、広い側壁（１４、２１４）のそれぞれの接続要素（２０、２２０Ａ、２２０Ｂ）は、狭い側壁（１６、２１６）の接続要素（２０、２２０Ａ、２２０Ｂ）に対応し、
−  複数の接続要素（２０、２２０Ａ、２２０Ｂ）は、各広い側壁（１６、２１６）で、好ましくは接合部の遊びを加えて、前記フレーム高（Ｈ）に対応するグリッド距離（Ｒ）で前記フレーム幅（Ｂ１、Ｂ）に沿って配置され、それによって複数のハウジング・フレーム（１１、１２、２１１）は、それらの接続要素（２０、２２０Ａ、２２０Ｂ）によって共にモジュール式に接続され得る、モジュラー・システム。
【請求項２】
全ての接続要素（２０、２２０Ａ、２２０Ｂ）は、ポジティブ・ロック接続のために前記広い側壁および狭い側壁（１４、１６）それぞれに外側に設けられ、ならびに／または全ての接続要素（２０、２２０Ａ、２２０Ｂ）は同一もしくは相補的な構成である、請求項１に記載のモジュラー・システム。
【請求項３】
前記接続要素（２０、２２０Ａ、２２０Ｂ）の少なくとも一部は、溝形接続のために、前記ハウジング・フレーム（１１、１２、２１０）の深さ方向に延びる溝の形態である、請求項２に記載のモジュラー・システム。
【請求項４】
前記ハウジング・フレームの前記接続要素（２０、２２０Ａ、２２０Ｂ）と協働する別個の接続要素（２２、２２２）が、特に溝形接続のための別個の接続舌部の形態で設けられ、前記接続要素（２０、２２、２２０Ａ、２２０Ｂ、２２２）は好ましくは蟻継ぎ接続の断面構成である、請求項１、２、または３、特に請求項３に記載のモジュラー・システム。
【請求項５】
前記別個の接続要素（２２２）は、少なくとも前記ハウジング・フレームの接続要素（２２０Ａ、２２０Ｂ）と堅固にロックする関係で協働し、好ましくは、前記ハウジング・フレーム（２２１）との掛止係合のための鏡像対称構成の２つの掛止舌部（２２５）、および／または、好ましくは２つのねじ穴（２２８）、好ましくはねじの皿穴（２２９）を有する、請求項４に記載のモジュラー・システム。
【請求項６】
各ハウジング・フレーム（２１１）は複数の部品構成で、特に３つの主部分で構成され、好ましくは複数のプラグ・コネクタ・モジュール（１８）を受け入れられるフレーム形状である前部（２１１Ａ）と、共に接続されかつ前記前部に接続できる２つの協働するシェル状の後部（２１１Ｂ、２１１Ｃ）とから構成される、請求項１から５のいずれか一項に記載のモジュラー・システム。
【請求項７】
プラグ・コネクタ・モジュール（１８）の受け入れ手段（２３０ａ、２３０ｂ、２３０ｃ、２３０ｄ）を有する保持フレームが、前記ハウジング・フレーム（２１１）に配置され、または、プラグ・コネクタ・モジュール（１８）の相手手段（１９Ａ、１９Ｂ）と掛止目的で協働する、それぞれ対向して配設される第１および第２のポジティブ・ロック凹部（３１、３２）が、前記広い側壁（１６）の両方の内側の各受け入れ手段（３０ａ、３０ｂ、３０ｃ、３０ｄ）に設けられ、それによって前記ハウジング・フレーム（１１、１２）に拘束され、かつ向きを決められる、請求項１から６のいずれか一項に記載のモジュラー・システム。
【請求項８】
前記ハウジング・フレームの後側に、複数の貫通開口部、特に前記後部（２１１Ｂ、２１１Ｃ）によって形成されるケーブル貫通開口部が設けられ、前記ハウジング・フレームにおいて前記深さ（Ｔ）方向で、前記ケーブル貫通開口部と前記受け入れ手段（３０ａ、３０ｂ、３０ｃ、３０ｄ）に、弾性歪み解放デバイス（２７０Ａ、２７０Ｂ）が設けられる、請求項１から７のいずれか一項に記載のモジュラー・システム。
【請求項９】
前記プラグ・コネクタ・ユニット（１０、２１０）は、複数のハウジング・フレーム（１１、１２、２１１）からそれぞれ構成され、前記ハウジング・フレームを囲む別のハウジングなしで、前記プラグ・コネクタ・モジュール（１８）の差し込み接続のためにそれぞれ協働する、請求項１から８のいずれか一項に記載のモジュラー・システム。
【請求項１０】
少なくともいくつかのハウジング・フレーム（１１、１２）は、好ましくは射出成形処理を使用してプラスチックで作られ、および／または、圧力ダイカスト処理を使用して特にアルミニウムまたは亜鉛の金属で作られる、請求項１から９のいずれか一項に記載のモジュラー・システム。
【請求項１１】
別個の取り付け部品、特に取り付けフランジ（１３）、アングル部材、および／または取り付けプレートが設けられ、それらは、１つの前記プラグ・コネクタ・ユニット（１０）を、機械部品、スイッチ・キャビネットなどのようなそれぞれの接続箇所に固定するために、特に前記狭い側壁（１６）の接続要素（２０）と協働する、請求項１から１０のいずれか一項に記載のモジュラー・システム。
【請求項１２】
前記ハウジング・フレーム（１１、１２）に、特に前記側壁の前記接続要素（２０）および／または取り付け部品（１３）上に接続された２つのプラグ・コネクタ・ユニットを固定するための固定可能なロック部が設けられる、請求項１から１１のいずれか一項、特に請求項１１に記載のモジュラー・システム。
【請求項１３】
各第１のハウジング・フレーム（１１、２１１）は、プラグ・コネクタ・モジュール（１８）を固定するために、２ｎ個の偶数の同一の受け入れ手段（３０ａ、３０ｂ、３０ｃ、３０ｄ、２３０ａ、２３０ｂ、２３０ｃ、２３０ｄ）、特に４、６、または８個の受け入れ手段（３０ａ、３０ｂ、３０ｃ、３０ｄ、２３０ａ、２３０ｂ、２３０ｃ、２３０ｄ）を有する、請求項１から１２のいずれか一項に記載のモジュラー・システム。
【請求項１４】
前記プラグ・コネクタ・ユニット（１０、２１０）のそれぞれにおいて、複数のプラグ・コネクタ・モジュール（１８）を前記ハウジング・フレーム（１２）の内部に固定するために、少なくとも２つの同一の受け入れ手段（３０ａ、３０ｂ）を有する少なくとも１つの第２のハウジング・フレーム（１２）が設けられ、前記ハウジング・フレームは、前記ハウジング・フレームの幅を画定する２つの平行の側壁（１４）、およびそれらに垂直で、前記ハウジング・フレームのフレーム高を画定する２つの平行の側壁（１６）を有し、
−  前記フレーム幅（Ｂ２）は前記フレーム高（Ｈ）と等しく、特に前記第１のハウジング・フレーム（１１）の前記フレーム高（Ｈ）と等しく、
−  前記側壁（１４、１６）は、特にポジティブ・ロック接続のための接続要素（２０）を有し、側壁（１４、１６）の接続要素（２０）は、前記それぞれのプラグ・コネクタ・ユニット（１０）を形成するために、複数の第２のハウジング・フレーム（１２）がそれらの接続要素によって互いに、および／または第１のハウジング・フレーム（１１）にモジュール式に接続できるよう、隣接する前記側壁（１４、１６）の接続要素にそれぞれ対応する、請求項１から１３のいずれか一項に記載のモジュラー・システム。
【請求項１５】
異なる伝送媒体のためのいくつかの異なるプラグ・コネクタ・モジュールを、各プラグ・コネクタ・ユニットに組み合わせることができる、請求項１から１４のいずれか一項に記載のモジュラー・システム。
【請求項１６】
ライン、特に電気ライン、および／または異なる伝送媒体のための矩形のプラグ・コネクタ（１０）であって、内側にそれぞれのプラグ・コネクタ・モジュール（１８）のための、複数の同一の受け入れ手段（３０ａ、３０ｂ、３０ｃ、３０ｄ）を備えるハウジング・フレーム（１１、１２）を含み、前記ハウジング・フレームは、前記ハウジング・フレームの幅を画定する２つの平行の側壁（１４）、およびそれらに垂直で、前記ハウジング・フレームの高さを画定する２つの平行の側壁（１６）を有し、前記ハウジング・フレームは、前記プラグ・コネクタ・モジュールのプラグ接続が成される前側を有する、前記プラグ・コネクタ・モジュールを受け入れる前部を有し、後側は、特に前記ハウジング・フレームと適応関係にある寸法の、後部またはカバー（４０）である後側のクロージャで固定され、
−  前記フレーム幅（Ｂ１、Ｂ２）は、前記フレーム高（Ｈ）の実質的にＮ倍で、ここでＮは自然数であり、
−  前記側壁（１４、１６）は、特にポジティブ・ロック接続のための接続要素（２０）を有し、側壁のそれぞれの接続要素（２０）は、それらに対して垂直な側壁の接続要素に対応し、
−  前記接続要素（２０）は、複数のハウジング・フレーム（１１、１２）が、プラグ・コネクタ・ユニット（１０）を形成するように、それらの接続要素（２０）によって共にモジュラー式に接続され得るよう、グリッド距離（Ｒ）に従って互いに対して配置され、
−  全ての接続要素（２０、２２０Ａ、２２０Ｂ）は同一、または相補的構成であり、
−  前記接続要素（２０、２２０Ａ、２２０Ｂ）のうちの少なくとも一部は、溝形接続のために前記ハウジング・フレーム（１１、１２、２１０）の深さ方向に延びる溝の形態であり、前記前部は第１の接続溝（２２０Ａ）を有し、前記後側のクロージャは第２の接続溝（２２０Ｂ）を有し、
−  前記矩形のコネクタ（１０）は、少なくとも２つのハウジング・フレーム（１１、１２）を有し、それらの接続要素（２０、２２０Ａ、２２０Ｂ）によって互いに固定され、前記矩形のコネクタ（１０）を提供するために接続され、
−  前記第１の接続溝（２２０Ａ）は、整合された前記第２の接続溝（２２０Ｂ）と協働して、前記少なくとも２つのハウジング・フレーム（１１、１２）の間に溝形接続を作製する、矩形のプラグ・コネクタ（１０）。
【請求項１７】
請求項４から１０のいずれか一項に記載の特徴部を備える、請求項１６に記載の矩形のコネクタ（１０）。
【請求項１８】
前記ハウジング・フレームは１つのピースである、請求項１６に記載の矩形のコネクタ（１０）。
【請求項１９】
ラインのための複数のプラグ・コネクタ・モジュール（１８）を含むプラグ・コネクタ・ユニット（１０、２１０）であって、請求項１６に記載の少なくとも２つのハウジング・フレーム（１１、１２、２１１）を備え、前記プラグ・コネクタ・モジュール（１８）は、前記ハウジング・フレーム（１１、１２、２１１）のうちの１つにそれぞれ受け入れられ、前記ハウジング・フレーム（１１、１２）は、それらの接続要素（２０、２２０Ａ、２２０Ｂ）によって互いに固定され、前記プラグ・コネクタ・ユニット（２１０）を提供するよう接続される、プラグ・コネクタ・ユニット（１０、２１０）。
【国際調査報告】
2020516030.tif 000014
2020516030.tif 000015
2020516030.tif 000016
2020516030.tif 000017
2020516030.tif 000018
2020516030.tif 000019